(57)【要約】      （修正有）【課題】斜めに挿着することを防止し、相手コネクタプラグを対接することが便利になり、同時に、小型化が有利になる電源用コネクタを提供する。【解決手段】本考案の電源用コネクタは、絶縁本体と該絶縁本体に装着される複数の導電端子２とを含んでいる。前記絶縁本体は、基体と、該基体から延伸して形成される凸状リブ１１とを備える。前記導電端子は、前記絶縁本体内に装着され、接触面を備える。前記凸状リブが前記導電端子に貼り付けられて設置され、且つ、前記凸状リブの一部分が前記導電端子の接触面を超えている。【選択図】図４
0003109106.tif 000002
【実用新案登録請求の範囲】
【請求項１】
基体と該基体から延伸して形成される凸状リブとを備える絶縁本体と、
前記絶縁本体内に装着され、接触面を備える複数の導電端子と
を含み、
前記凸状リブが前記導電端子に貼り付けられて設置され、且つ、前記凸状リブの一部分が前記導電端子の接触面を超えていることを特徴とする電源用コネクタ。
【請求項２】
前記導電端子は、相対している第１接触面と第２接触面とを含むことを特徴とする請求項１に記載の電源用コネクタ。
【請求項３】
前記凸状リブは、前記第１表面と第２表面とをそれぞれ越えている一対の表面を備えることを特徴とする請求項２に記載の電源用コネクタ。
【請求項４】
前記導電端子と凸状リブとは並んで配列され、前記凸状リブが前記導電端子の外側に貼り付けられて設置されることを特徴とする請求項３に記載の電源用コネクタ。
【請求項５】
前記凸状リブの断面は９０°回転した凸字状を呈することを特徴とする請求項４記載の電源用コネクタ。
【請求項６】
前記凸状リブは、相対している一対の第１表面と、相対している一対の第２表面とを含み、前記第１表面が前記導電端子の第１接触面及び第２接触面よりそれぞれ低く、前記第２表面が前記導電端子の第１接触面及び第２接触面よりそれぞれ高いことを特徴とする請求項５記載の電源用コネクタ。
【請求項７】
前記基体から前方に向けて舌板が延伸して形成され、前記複数の導電端子のうちの一つが該舌板内に装着されることを特徴とする請求項２記載の電源用コネクタ。
【請求項８】
前記導電端子と凸状リブとは前記基体を離れる末端をそれぞれ備え、且つ、凸状リブの末端が前記導電端子の末端を延伸して越えることを特徴とする請求項１記載の電源用コネクタ。
【請求項９】
前記絶縁本体を収容するシールドケースを含み、該シールドケースは、その両側が円弧状で連接する略框体状を呈することを特徴とする請求項１記載の電源用コネクタ。
【請求項１０】
前記絶縁本体は、前記基体と連接している取付部材を備え、該取付部材に前記凸状リブと平行なガイド部が形成されることを特徴とする電源用コネクタ。
【考案の詳細な説明】
【技術分野】
【０００１】
本考案は電源用コネクタに関し、特に相手コネクタを挿入することが便利になり、且つ斜めに挿入することが防止できる電源用コネクタに関するものである。
【背景技術】
【０００２】
各種電子機器においては、電源を得るために電源プラグが挿入されるインレットと称される電源用コネクタが備えられている。従来のコネクタには、一般に相手プラグコネクタの斜めの挿着を防止するための機構が設置され、従来から、特許文献１に開示されているように、該コネクタは、絶縁ボディと、金属カバーと、コンタクトとを含み、前記絶縁ボディにコネクタ支持体が延伸して形成され、該コンタクト支持体の上下側にはキィーボスがそれぞれ設置される。こうして、前記キィーボスにより、相手コネクタプラグの斜めの挿着または異なる種別のコネクタプラグの誤挿着が防止できる。
【０００３】
しかしながら、前記コネクタにおいては、斜めの挿着のためのキィーボスが前記コンタクトの上下側に設置されるため、該コネクタの高さ方向の寸法が大きく、したがって、コネクタの小型化が図難であるといった問題があった。
【０００４】
そこで、従来の技術の不足点を改善した電源用コネクタを開発する必要がある。
【特許文献１】国際公開第ＷＯ００/１６４４９号パンフレット
【考案の開示】
【考案が解決しようとする課題】
【０００５】
本考案は、斜めに挿着することを防止し、相手コネクタプラグを対接することが便利になり、同時に、小型化が有利になる電源用コネクタを提供することを目的とする。
【課題を解決するための手段】
【０００６】
前記目的を達成するために、本考案の電源用コネクタは、絶縁本体と該絶縁本体に装着される複数の導電端子とを含んでいる。前記絶縁本体は、基体と、該基体から延伸して形成される凸状リブとを備える。前記導電端子は、前記絶縁本体内に装着され、接触面を備える。前記凸状リブが前記導電端子に貼り付けられて設置され、且つ、前記凸状リブの一部分が前記導電端子の接触面を超えている。
【考案の効果】
【０００７】
従来の技術に比べると、本考案は以下の長所がある。凸状リブの一部分が前記導電端子の接触面を越えていることで、相手コネクタプラグに対接する時、先に、前記凸状リブに接触して、直接に導電端子に接触することが避けられ、導電端子が破損等されることが防止できる。前記凸状リブが導電端子の両側に設置されることで、電源用コネクタの高さの方向の寸法が減少し、小型化に有効になる。
【考案を実施するための最良の形態】
【０００８】
図１と図２に示すように、本考案の電源用コネクタは、絶縁本体１と、該絶縁本体１内に装着される複数の導電端子２と、シールドケース３とを含んでいる。
【０００９】
前記絶縁本体１は、絶縁材料からなり、扁平な円柱を呈する基体１０を備える。該基体１０は、前端面１０１と、後端面１０２と、該前端面１０１及び後端面１０２とを貫通して形成されたチャンネル１０３と、前記後端面１０２から凹んで形成され、前記チャンネル１０３に垂直に連通する通道１０４と、上表面１０５に設置される固着部１０６とを含んでいる。
【００１０】
前記基体１０の前端面１０１の両側から、９０°回転した凸字状を呈する断面を備える一対の相対した凸状リブ１１が延伸して形成され、該一対の凸状リブ１１は、前記チャンネル１０３の外側面に貼り付けられ、一対の相対している第１表面１１０と、一対の相対している第２表面１１１と、内側面１１２と、先端面１１３と、外側面１１４とを備える。
【００１１】
前記基体１０の前端面１０１から前方に向けて、一対の第３表面１２０と、末端面１２１と、中央溝１２２とを備える舌板１２が延伸して形成される。前記基体１０の下方に前記通道１０４が貫通する取付部材１３が設置され、該取付部材１３は、前記基体１０と連接している連接部１３０と、先端に形成されるスリット１３５により該取付部材１３の先端が割れて形成される二つのガイド部１３７とを含み、前記二つのガイド部１３７は、前記凸状リブ１１に平行で、その上表面に凹部１３３が形成され、該取付部材１３の下表面の両側に近寄る箇所に係止部１３６がそれぞれ設けられ、該両係止部１３６の間に一対の円柱状を呈する定位柱１３４が設置される。
【００１２】
前記電源用コネクタの複数の導電端子２は、Ｌ字形を呈し、前記凸状リブ１１及び舌板１２と並んで配列される接触部２０と、該接触部２０に垂直で、前記絶縁本体１の通道１０４内に装着される接続部２１とを含み、前記接触部２０が、水平状を呈し、第１接触面２２と、第２接触面２３と、自由端２４とを備える。
【００１３】
前記シールドケース３は、金属板により構成されており、両側が円弧状で連接する略框体状を呈し、中間に収容空間３１が形成され、該収容空間３１の底壁３２には後端に位置する箇所に開口３３が形成され、該底壁３２に下方を向く保持片３４が延出され、前記開口３３の側辺３３０に下方を向く両対の固定脚３８及び一対の係合片３９がそれぞれ延伸して形成される。前記収容空間３１の頂壁３５及び底壁３２には、収容空間３１に向けて、相手コネクタ（図示せず）のシェルに接触する弾性片３６がそれぞれ切起され、前記頂壁３５に前記収容空間３１に向けて一対の係止片３７が窪んで形成される。
【００１４】
図１〜図３に示すように、取付ける際に、前記導電端子２の接触部２０が、前記絶縁本体１の基体１０のチャンネル１０３内に装着されて、前記凸状リブ１１の内側面１１２に貼り付けられて設置される。前記導電端子２の第１接触面２２及び第２接触面２３は、前記凸状リブ１１の一対の第１表面１１０よりそれぞれ高く、且つ、前記凸状リブ１１の一対の第２表面１１１より低い。前記凸状リブ１１の先端面１１３が導電端子２の自由端２４の前方に位置して、導電端子２のうちの一つが前記舌板１２の中央溝１２２内に装着される。前記導電端子２の接続部２１が前記絶縁本体１の取付部材１３の底面に延出され、回路基板（図示せず）に半田付けされる。
【００１５】
図３〜図５に示すように、前記絶縁本体１が前記シールドケース３の開口３３の一端から前記収容空間３１内に実装される。前記保持片３４が前記スリット１３５に挟まれ、前記底壁３２の弾性片３６が前記取付部材１３のガイド部１３７の凹部１３３の上方に位置し、前記頂壁３５の係止片３７が前記基体１０の固着部１０６内に係合される。取付けた時、前記絶縁本体１の定位柱１３４が回路基板に実装され、前記保持片３４及び固定脚３８が回路基板（図図示せず）に半田付けされ、これらにより、該電源用コネクタが回路基板に実装される。
【００１６】
相手コネクタプラグが上方に向けて斜めに挿入される時、前記絶縁本体１の凸状リブ１１の一対の第２表面１１１が前記導電端子２の第１接触面２２及び第２接触面２３より高いことで、先に、相手コネクタプラグの接触部（図示せず）が前記凸状リブ１１の第２表面１１１に接触することにより、そこで、直接に導電端子２に接触することが避けられ、更に、破損等することが防止できる。また、相手コネクタプラグが下方に向けて斜めに挿入される時、前記絶縁本体１の凸状リブ１１の一対の第１表面１１０が前記導電端子２の第１接触面２２及び第２接触部２３より低いことで、先に、相手コネクタプラグの接触部（図示せず）が前記凸状リブ１１の第１表面１１０に接触することにより、そこで、直接に導電端子２に接触することが避けられ、更に、破損等することが防止できる。
【００１７】
相手コネクタプラグが左右の方向に向けて斜めに挿入される時、前記絶縁本体１の舌板１２の末端面１２１及び凸状リブ１１の先端面１１３が導電端子２の自由端２４の前方に位置することで、先に、相手コネクタプラグの接触部（図示せず）が舌板１２の末端面１２１または凸状リブ１１の先端面１１３に接触することにより、そこで、直接に導電端子２に接触することが避けられ、更に、破損等することが防止できる。こうして、相手コネクタプラグが斜めに挿入されても、前記凸状リブ１１または舌板１２により、直接に導電端子２に接触することが避けられ、更に、導電端子２が破損等することが防止される。前記凸状リブ１１が導電端子２の両側に設置されることで、電源用コネクタの高さの方向の寸法が減少し、小型化に有効になる。
【００１８】
総じて、本考案の多数の特徴及び長所など、その構造及び機能が共に前述の記載により掲げられている。また前記の説明は、本考案に基づきなしうる細部の修正或は変更など、いずれも本考案の請求範囲に属するものとする。
【図面の簡単な説明】
【００１９】
【図１】本考案の電源用コネクタの分解斜視図である。
【図２】本考案の電源用コネクタのほかの角度から見る分解斜視図である。
【図３】本考案の電源用コネクタの導電端子が絶縁本体内に装着される部分の分解斜視図である。
【図４】本考案の電源用コネクタの組立斜視図である。
【図５】本考案の電源用コネクタのほかの角度から見る組立斜視図である。
【符号の説明】
【００２０】
１０  絶縁本体
２  導電端子
３  シールドケース
１０  基体
１１  凸状リブ
１２  舌板
１３  取付部材
２０  接触部
２１  接続部
２２  第１接触面
２３  第２接触面
２４  自由端
３１  収容空間
３２  底壁
３３  開口
３４  保持片
３５  頂壁
３６  弾性片
３７  係止片
３８  固定脚
３９  係合片
１０１  前端面
１０２  後端面
１０３  チャンネル
１０４  通道
１０５  上表面
１０６  固着部
１１０  第１表面
１１１  第２表面
１１２  内側面
１１３  先端面
１１４  外側面
１２０  第３表面
１２１  末端面
１２２  中央溝
１３０  連接部
１３３  凹部
１３４  定位柱
１３５  スリット
１３６  係止部
１３７  ガイド部
３３０  側辺
【図１】
0003109106.tif 000003
【図２】
0003109106.tif 000004
【図３】
0003109106.tif 000005
【図４】
0003109106.tif 000006
【図５】
0003109106.tif 000007